(57)【要約】【課題】建坪に対する屋根面積を大きくしながら大面積屋根の強度を向上する。【解決手段】太陽電池パネルを備える建物は、片流れ屋根１Ｘの上下端部と両側に、外壁面１８Ｘから０．７ｍ以上突出する軒部２を設けて、軒部２の上面を含む領域に太陽電池パネル９を固定している。屋根１の下面には、屋根１の傾斜方向に延びる大梁１３を固定して、大梁１３と軒桁１２の交差部分を隅柱１１で支持すると共に、大梁１３と軒桁１２との交差部分から屋根１のコーナー部に延びるコーナー材１４を固定している。軒桁１２と大梁１３との交差部分には、下側カバー金具６Ａと上側カバー金具６Ｂからなる十字状補強金具６を固定している。下側カバー金具６Ａ及び上側カバー金具６Ｂは、溝形の桁連結部６２と梁連結部６３とコーナー側連結部６４とを連結しており、梁連結部６３を大梁１３に、桁連結部６２を軒桁１２に、コーナー側連結部６４をコーナー材１４に固定している。【選択図】図１
2014098250.tif 000002
【特許請求の範囲】
【請求項１】
屋根(1)に太陽電池パネル(9)を固定してなる太陽電池パネルを備える建物であって、
前記屋根(1)が片流れ屋根(1X)であって、上下端部と両側の軒部(2)が建物の外壁面(18X)から０．７ｍ以上突出して、軒部(2)の上面を含む領域に太陽電池パネル(9)を固定しており、
前記屋根(1)は、その下面に、屋根(1)の傾斜方向に延びる大梁(13)を固定しており、
前記大梁(13)は軒桁(12)に交差するように連結されて、該大梁(13)と該軒桁(12)は交差部分を隅柱(11)で支持しており、
さらに、前記屋根(1)の下面には、前記大梁(13)と軒桁(12)との交差部分から屋根(1)のコーナー部に延びるコーナー材(14)を固定しており、
さらにまた、前記軒桁(12)と前記大梁(13)との交差部分には十字状補強金具(6)を固定しており、
前記十字状補強金具(6)は、前記大梁(13)と前記軒桁(12)の交差部分を下側からカバーする下側カバー金具(6A)と、前記交差部分を上側からカバーする上側カバー金具(6B)とを備えており、
前記下側カバー金具(6A)及び前記上側カバー金具(6B)は、前記軒桁(12)をカバーする溝形の桁連結部(62)と前記大梁(13)をカバーする溝形の梁連結部(63)と前記コーナー材(14)をカバーする溝形のコーナー側連結部(64)を連結しており、
前記梁連結部(63)が前記大梁(13)に固定され、前記桁連結部(62)が前記軒桁(12)に固定され、前記コーナー側連結部(64)が前記コーナー材(14)に固定されてなることを特徴とする太陽電池パネルを備える建物。
【請求項２】
前記屋根(1)の上下端部と両側の軒部(2)が建物の外壁面(18X)から１．５ｍ以上突出してなる請求項１に記載される太陽電池パネルを備える建物。
【請求項３】
前記梁連結部(63)が前記大梁(13)を貫通するボルト(70)を介して該大梁(13)に固定され、前記桁連結部(62)が前記軒桁(12)を貫通するボルト(70)を介して該軒桁(12)に固定されてなる請求項１または２に記載される太陽電池パネルを備える建物。
【請求項４】
前記コーナー側連結部(64)が前記コーナー材(14)を貫通するボルト(70)を介して該コーナー材(14)に固定されてなることを特徴とする請求項１ないし３のいずれかに記載される太陽電池パネルを備える建物。
【請求項５】
前記桁連結部(62)が、前記梁連結部(63)との交差部分から軒先側と建物側とに突出して、軒先側の突出量を建物側の突出量よりも長くしてなる請求項１ないし４のいずれかに記載される太陽電池パネルを備える建物。
【請求項６】
前記梁連結部(63)が、前記桁連結部(62)との交差部分から軒先側と建物側とに突出して、軒先側の突出量を建物側の突出量よりも長くしてなる請求項１ないし５のいずれかに記載される太陽電池パネルを備える建物。
【請求項７】
前記十字状補強金具(6)が、前記桁連結部(62)の軒先側、あるいは前記梁連結部(63)の軒先側、あるいはまた前記コーナー連結部の少なくともひとつを前記屋根の軒先まで延長してなる請求項１ないし６のいずれかに記載される太陽電池パネルを備える建物。
【請求項８】
前記十字状補強金具(6)の上側カバー金具(6B)が、梁連結部(63)、桁連結部(62)、あるいはコーナー連結部(64)を、前記下側カバー金具の対向する梁連結部(63)、桁連結部(62)、あるいはコーナー連結部(64)よりも長くしてなる請求項１ないし７のいずれかに記載される太陽電池パネルを備える建物。
【請求項９】
前記下側カバー金具(6A)は、前記軒桁(12)及び前記大梁(13)の下面に沿う下側プレート部(65)と、前記軒桁(12)及び前記大梁(13)の両側面に沿う下側対向壁(66)とを備えており、
前記上側カバー金具(6B)は、前記軒桁(12)及び前記大梁(13)の上面に沿う上側プレート部(67)と、前記軒桁(12)及び前記大梁(13)の両側面に沿う上側対向壁(68)とを備えており、
前記下側対向壁(66)と前記上側対向壁(68)は、互いに重ねられる上下幅を有し、
前記下側対向壁(66)と上側対向壁(68)の積層部と、前記大梁(13)又は前記軒桁(12)を貫通するボルト(70)を介して、前記大梁(13)又は前記軒桁(12)に固定されて互いに連結されてなる請求項１ないし８のいずれかに記載される太陽電池パネルを備える建物。
【請求項１０】
前記下側カバー金具(6A)と前記上側カバー金具(6B)が、互いに対向する下側プレート部(65)及び上側プレート部(67)と、前記大梁(13)又は軒桁(12)を貫通するボルト(70)を介して前記大梁(13)又は前記軒桁(12)に固定されて互いに連結されてなる請求項９に記載される太陽電池パネルを備える建物。
【請求項１１】
前記太陽電池パネル(9)と前記屋根(1)との間に、外気を通過できる第１の空気層(35)を設けると共に、前記屋根(1)が、上下の中間に、外気を通過させる第２の空気層(25)を設けており、前記第２の空気層(25)が上端と下端を開口してなる請求項１ないし１０のいずれかに記載される太陽電池パネルを備える建物。
【発明の詳細な説明】
【技術分野】
【０００１】
本発明は、太陽電池パネルを備える建物に関し、とくに建坪に対する屋根面積を大きくして、発電電力の大きな太陽電池パネルを固定してなる建物に関する。
【背景技術】
【０００２】
屋根に太陽電池パネルを固定する建物は、発電電力を大きくするために、太陽光線に照射される屋根の面積を大きくすることが大切である。太陽電池パネルの発電電力が、面積に比例して大きくなるからである。建物は、片流れ屋根として屋根面積を大きくできる。（特許文献１参照）
片流れ屋根は、全面を太陽光線に照射される面にできるので、切り妻屋根や寄せ棟屋根の建物に比較して、太陽電池パネルを設置して発電電力を大きくできる。
【先行技術文献】
【特許文献】
【０００３】
【特許文献１】特開２００５−１３３６６６号公報
【発明の概要】
【発明が解決しようとする課題】
【０００４】
片流れ屋根の建物は、切り妻屋根などの建物に比較して、太陽光線に照射される屋根面積を広くできる。ただ、従来の片流れ屋根は、外壁からの突出量が少なく、建物の建坪に対して屋根面積が制約されて充分な屋根面積を実現できない。とくに、木造の建物では、屋根を支える骨組みの強度の問題から、片流れ屋根の外周縁を外壁から大きく突出させることができず、建坪に対して大きな面積の屋根を実現することができない。このため、屋根に設置される太陽電池パネルの面積が制約されて、発電電力を大きくするのが難しい欠点があった。
【０００５】
本発明は、この欠点を解決することを目的に開発されたものである。本発明の重要な目的は、建坪に対する屋根面積を著しく大きくして、屋根に設置される太陽電池パネルの発電電力を大きくでき、さらに大面積屋根の強度を著しく向上できる太陽電池パネルを備える建物を提供することにある。
【課題を解決するための手段及び発明の効果】
【０００６】
本発明の太陽電池パネルを備える建物は、屋根１に太陽電池パネル９を固定している。太陽電池パネルを備える建物は、屋根１が片流れ屋根１Ｘであって、上下端部と両側の軒部２が建物の外壁面１８Ｘから０．７ｍ以上突出して、軒部２の上面を含む領域に太陽電池パネル９を固定している。屋根１は、その下面に、屋根１の傾斜方向に延びる大梁１３を固定している。大梁１３は、軒桁１２に交差するように連結されて、大梁１３と軒桁１２の交差部分を隅柱１１で支持している。さらに、屋根１の下面には、大梁１３と軒桁１２との交差部分から屋根１のコーナー部に延びるコーナー材１４を固定している。さらに、建物は、軒桁１２と大梁１３との交差部分に十字状補強金具６を固定している。十字状補強金具６は、大梁１３と軒桁１２の交差部分を下側からカバーする下側カバー金具６Ａと、交差部分を上側からカバーする上側カバー金具６Ｂとを備えており、下側カバー金具６Ａ及び上側カバー金具６Ｂは、軒桁１２をカバーする溝形の桁連結部６２と、大梁１３をカバーする溝形の梁連結部６３と、コーナー材１４をカバーする溝形のコーナー側連結部６４を連結している。十字状補強金具６は、梁連結部６３が大梁１３に固定され、桁連結部６２が軒桁１２に固定され、コーナー側連結部６４がコーナー材１４に固定されている。
【０００７】
以上の太陽電池パネルを備える建物は、建坪に対する屋根面積を著しく大きくして、屋根に設置される太陽電池パネルの発電電力を大きくしながら、さらに大面積屋根の強度を著しく向上できる特徴がある。それは、以上の建物が、屋根を片流れ屋根として、その上下端部と両側の軒部を建物の外壁面から０．７ｍ以上突出させて屋根を大きくし、軒部によって相当に大きくなった屋根に太陽電池パネルを固定し、さらに、屋根の下面に、屋根の傾斜方向に延びる大梁を固定して、この大梁と軒桁の交差部分を隅柱で支持し、さらに、屋根のコーナー部にコーナー材を設けて、このコーナー材と大梁と軒桁の交差部分とを、下側カバー金具と上側カバー金具とからなる十字状補強金具で補強しているからである。とくに、下側カバー金具と上側カバー金具は、断面形状を溝形とする梁連結部と桁連結部とコーナー側連結部とを備え、梁連結部を大梁に、桁連結部を軒桁に、コーナー側連結部をコーナー材に固定して、大梁と軒桁とコーナー材とを補強するので、屋根を建物から長く突出させて、その上に太陽電池パネルを固定しながら、突出部を充分な強度に補強できる特徴がある。
【０００８】
本発明の太陽電池パネルを備える建物は、屋根１の上下端部と両側の軒部２を、建物の外壁面１８Ｘから１．５ｍ以上突出させることができる。
この建物は、たとえば、建坪を１０ｍ×１０ｍとする建物の屋根を、傾斜角を３０度とする片流れ屋根として、その上下端部と両側の軒部を外壁面から１．５ｍ突出させると、屋根の面積は約１９０平方メートルとなって、建坪の約１．９倍となる。したがって、この建物は屋根に設置できる太陽電池パネルの面積が１．９倍となって、発電電力を２倍近くにも増大できる。さらに、軒部の突出量を２ｍにすると、屋根の面積は建坪の約２．２倍とさらに大きくなって、発電電力を２倍以上に増大できる。
【０００９】
このように、軒部の突出量を大きくしている屋根は、軒部が強風で損傷しやすいが、以上の建物は、屋根のコーナー部を、下側カバー金具と上側カバー金具とからなる十字状補強金具と、これに固定しているコーナー材とで補強しているので、強風による軒部の損傷を確実に防止できる。
【００１０】
本発明の太陽電池パネルを備える建物は、大梁１３を貫通するボルト７０を介し梁連結部６３を大梁１３に固定し、軒桁１２を貫通するボルト７０を介して桁連結部６２を軒桁１２に固定することができる。
以上の建物は、十字状補強金具の梁連結部を大梁に確実に固定し、桁連結部を軒桁に確実に固定できるので、軒桁と大梁との交差部分を十字状補強金具でより強固に補強できる。このため、この建物は、十字状補強金具で補強される軒桁や大梁を介して軒部の下面を強固に支持でき、強風による軒部の損傷を確実に防止できる。
【００１１】
本発明の太陽電池パネルを備える建物は、コーナー材１４を貫通するボルト７０を介してコーナー側連結部６４をコーナー材１４に固定することができる。
以上の建物は、十字状補強金具のコーナー側連結部にコーナー材を確実に固定できるので、コーナー材を、十字状補強金具を介して軒桁と大梁の交差部分に確実に固定できる。このため、この建物は、十字状補強金具に固定されるコーナー材を介して軒部の下面を強固に支持でき、強風による軒部の損傷を確実に防止できる。
【００１２】
本発明の太陽電池パネルを備える建物は、桁連結部６２が、梁連結部６３との交差部分から軒先側と建物側とに突出して、軒先側の突出量を建物側の突出量よりも長くすることができる。
以上の建物は、十字状補強金具の桁連結部を、梁連結部との交差部分から軒先側と建物側とに突出させるので、交差部分の両側において軒桁を桁連結部で保持して、軒桁と大梁の交差部分をより強固に補強できる。また、この建物は、十字状補強金具の桁連結部の軒先側の突出量を建物側よりも大きくするので、軒桁の軒先側の下面をより強固に支持でき、強風による軒部の損傷を確実に防止できる。
【００１３】
本発明の太陽電池パネルを備える建物は、梁連結部６３が、桁連結部６２との交差部分から軒先側と建物側とに突出して、軒先側の突出量を建物側の突出量よりも長くすることができる。
以上の建物は、十字状補強金具の梁連結部を、桁連結部との交差部分から軒先側と建物側とに突出させるので、交差部分の両側において大梁を梁連結部で保持して、軒桁と大梁の交差部分をより強固に補強できる。また、この建物は、十字状補強金具の梁連結部の軒先側の突出量を建物側よりも大きくするので、大梁の軒先側の下面をより強固に支持でき、強風による軒部の損傷を確実に防止できる。
【００１４】
本発明の太陽電池パネルを備える建物は、十字状補強金具６が、桁連結部６２の軒先側、あるいは梁連結部６３の軒先側、あるいはまたコーナー連結部６４の少なくともひとつを屋根１の軒先まで延長することができる。
以上の建物は、軒先まで延長される桁連結部や梁連結部やコーナー側連結部によって、軒部の下面をより強固に支持でき、強風による軒部の損傷を確実に防止できる。
【００１５】
本発明の太陽電池パネルを備える建物は、十字状補強金具６の上側カバー金具６Ｂが、梁連結部６３、桁連結部６２、あるいはコーナー連結部６４を、下側カバー金具６Ａの対向する梁連結部６３、桁連結部６２、あるいはコーナー連結部６４よりも長くすることができる。
以上の建物は、上側カバー金具の桁連結部、梁連結部、あるいはコーナー側連結部を、下側カバー金具の対向する部分よりも長くすることで、軒桁と大梁との交差部分を十字状補強金具でより強固に補強できる。とくに、この構造は、上側カバー金具と下側カバー金具の対向する桁連結部、梁連結部、あるいはコーナー側連結部の両方を長くする構造に比べて、十字状補強金具全体の重量を軽くしながら、製造コストを低減できる特徴がある。
【００１６】
本発明の太陽電池パネルを備える建物は、下側カバー金具６Ａが、軒桁１２及び大梁１３の下面に沿う下側プレート部６５と、軒桁１２及び大梁１３の両側面に沿う下側対向壁６６とを備えると共に、上側カバー金具６Ｂが、軒桁１２及び大梁１３の上面に沿う上側プレート部６７と、軒桁１２及び大梁１３の両側面に沿う上側対向壁６８とを備えており、下側対向壁６６と上側対向壁６８は、互いに重ねられる上下幅を有し、下側対向壁６６と上側対向壁６８の積層部と、大梁１３又は軒桁１２を貫通するボルト７０を介して、大梁１３又は軒桁１２に固定して互いに連結することができる。
以上の建物は、下側カバー金具と上側カバー金具とを、下側対向壁と上側対向壁の積層部と、大梁又は軒桁を貫通するボルトを介して互いに連結するので、十字状補強金具を大梁や軒桁に確実に固定して、軒桁と大梁との交差部分をより強固に補強できる。
【００１７】
本発明の太陽電池パネルを備える建物は、下側カバー金具６Ａと上側カバー金具６Ｂを、互いに対向する下側プレート部６５及び上側プレート部６７と、大梁１３又は軒桁１２を貫通するボルト７０を介して、大梁１３又は軒桁１２に固定して互いに連結することができる。
以上の建物は、下側カバー金具と上側カバー金具とを、互いに対向する下側プレート部及び上側プレート部と、大梁又は軒桁を貫通するボルトを介して互いに連結するので、十字状補強金具を大梁や軒桁に確実に固定して、軒桁と大梁との交差部分をより強固に補強できる。とくに、以上の連結構造は、大梁と軒桁の交差部分を上下からカバーする上側カバー金具と下側カバー金具とを、水平方向に貫通するボルトと、上下方向に貫通するボルトの両方で連結するので、上側カバー金具と下側カバー金具とをより強固に連結して大梁と軒桁の交差部分をより強固に補強できる。
【００１８】
本発明の太陽電池パネルを備える建物は、太陽電池パネル９と屋根１との間に、外気を通過できる第１の空気層３５を設けると共に、屋根１が、上下の中間に、外気を通過させる第２の空気層２５を設けて、第２の空気層２５の上端と下端を開口することができる。
以上の太陽電池パネルを備える建物は、第１の空気層と第２の空気層で太陽電池パネルの温度上昇を少なくして、温度上昇による発電効率の低下を防止できる。とくに、発電電力の大きい夏期において、太陽電池パネルの温度上昇を防止して、発電効率を高く、発電電力を大きくできる。それは、第１の空気層で、太陽電池パネルを下面から冷却し、さらに、第２の空気層で屋根の温度上昇を少なくして、屋根からの輻射熱で太陽電池パネルが温度上昇するのを防止できるからである。
【図面の簡単な説明】
【００１９】
【図１】本発明の一実施例に係る太陽電池パネルを備える建物の概略斜視図である。
【図２】本発明の一実施例に係る太陽電池パネルを備える建物の側面図である。
【図３】図２に示す建物の背面図である。
【図４】図２に示す建物の屋根の下端部の垂直断面図であって、図１のＩＶ−ＩＶ線断面に相当する図である。
【図５】図２に示す建物の屋根の上端部の垂直断面図であって、図１のＶ−Ｖ線断面に相当する図である。
【図６】図２に示す建物の屋根の側部の垂直断面図であって、図５のＶＩ−ＶＩ線断面に相当する図である。
【図７】図３に示す建物の屋根のコーナー部を示す断面底面図であって、図１に示す建物の屋根の右上コーナー部を下側から見た図である。
【図８】軒桁と大梁の連結構造を示す分解斜視図である。
【図９】図４及び図５に示す十字状補強金具の拡大図である。
【図１０】十字状補強金具で軒桁と大梁を連結する状態を示す斜視図である。
【図１１】図１０に示す十字状補強金具の分解斜視図である。
【図１２】図１１に示す十字状補強金具の下側カバー金具の底面斜視図である。
【図１３】下側カバー金具の他の一例を示す底面斜視図である。
【図１４】十字状補強金具の他の一例を示す底面図である。
【図１５】十字状補強金具の他の一例を示す側面図である。
【図１６】太陽電池パネルの一例を示す分解斜視図である。
【図１７】本発明の他の実施例に係る太陽電池パネルを備える建物の概略斜視図である。
【図１８】本発明の他の実施例に係る太陽電池パネルを備える建物の側面図である。
【図１９】図１８に示す建物の背面図である。
【図２０】図１８に示す建物の屋根の下端部の垂直断面図であって、図１７のＸＸ−ＸＸ線断面に相当する図である。
【図２１】図１８に示す建物の屋根の上端部の垂直断面図であって、図１７のＸＸＩ−ＸＸＩ線断面に相当する図である。
【図２２】図１９に示す建物の屋根のコーナー部を示す断面底面図であって、図１７に示す建物の屋根の右上コーナー部を下側から見た図である。
【図２３】土台及び隅柱と隅部補強金具の連結構造を示す分解斜視図である。
【発明を実施するための形態】
【００２０】
以下、本発明の実施例を図面に基づいて説明する。ただし、以下に示す実施例は、本発明の技術思想を具体化するための太陽電池パネルを備える建物を例示するものであって、本発明は太陽電池パネルを備える建物を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２１】
本発明の太陽電池パネルを備える建物を図１ないし図７に示す。図１は建物の概略斜視図を、図２は建物の側面図を、図３は建物の背面図を、図４は建物の屋根の下端部の垂直断面図であって、図１のＩＶ−ＩＶ線断面に相当する図を、図５は建物の屋根の上端部の垂直断面図であって、図１のＶ−Ｖ線断面に相当する図を、図６は建物の屋根の側部の垂直断面図であって、図５のＶＩ−ＶＩ線断面に相当する図を、図７は建物の屋根のコーナー部を示す断面底面図であって、図１に示す建物の屋根の右上コーナー部を下側から見た図をそれぞれ示している。以上の図に示す建物は、屋根１に太陽電池パネル９を固定している。図に示す建物の屋根１は、片流れ屋根１Ｘであって、所定の傾斜姿勢として、多数の太陽電池パネル９を配置できる所定の大きさに構築されている。建物は、片流れ屋根１Ｘの上面である傾斜面に設置される太陽電池パネル９で太陽光を効率よく受光できるように、屋根１の傾斜面が南向きとなるように構築される。すなわち、片流れ屋根１Ｘは、南側から北側に向かって上り勾配となるように構築される。
【００２２】
片流れ屋根１Ｘは、その上下端部と両側部とを建物の外壁面１８Ｘから外側に突出させて軒部２を設けている。本発明の建物は、片流れ屋根１Ｘの軒部２を大きくすることにより、建坪に対する屋根全体の面積を従来よりも大きくし、軒部２によって広くなった片流れ屋根１Ｘに太陽電池パネル９を固定して、太陽電池パネル９全体の面積を大きくすることを特徴とする。片流れ屋根１Ｘは、図１ないし図７に示すように、上下端部と両側部の軒部２を外壁面１８Ｘから０．７ｍ以上、好ましくは１．５ｍ以上、さらに好ましくは２ｍ以上突出させている。この片流れ屋根１Ｘは、上下と両側の軒部２を建物の外壁面１８Ｘから突出させることで、屋根全体の面積を相当に大きくしている。このように、軒部２の突出量を大きくする屋根１は、軒部２の上面を含む広い領域に太陽電池パネル９を固定して、屋根１に設置される太陽電池パネル９による発電電力を大きくできる。太陽電池パネル９は、図２、図４〜図６に示すように、軒部２の上面を含む領域に固定されるが、屋根１Ｘの外周縁部を除く部分に配置される。太陽電池パネル９は、たとえば屋根１の外周縁１Ａから１０ｃｍ以上、好ましくは２０ｃｍ以上内側に配置されて、屋根１の外周縁１Ａと太陽電池パネル９との間に、太陽電池パネル９が配置されない屋根１の露出部１Ｂを設けている。片流れ屋根１Ｘは、図１に示すように、建物本体１０の骨組み１０Ｘによって支持されている。
以下、建物本体１０の骨組み１０Ｘについて詳述する。
【００２３】
（骨組み１０Ｘ）
図１に示す建物は、建坪に相当する平面視長方形の建築領域３０に建物本体１０を構築している。建物本体１０の骨組み１０Ｘは、地面に施工された基礎７の上に構築されており、上面に形成される片流れ屋根１Ｘを、水平面に対して１５度〜４５度の傾斜姿勢で支持している。建物本体１０の骨組み１０Ｘは、図１に示すように、基礎７の上面に水平姿勢で配置される土台１７と、平面視において長方形の骨組み１０Ｘの四隅に配置されて、土台１７の上面に垂直な姿勢で固定される隅柱１１と、建物の前面及び背面に沿って配置されて隅柱１１の上端を連結する軒桁１２と、この軒桁１２に交差するように連結されて、屋根１の傾斜方向に延びる大梁１３とを備えている。
なお、本明細書において、前後左右の方向は、図１において決定するものとする。すなわち、傾斜姿勢に構築される片流れ屋根１Ｘの下端となる側を前面側とし、上端となる側を背面側とする。
【００２４】
以上の骨組み１０Ｘは、木材からなる多数の構造材の接合部分を互いに連結して所定の形状に組み立てられている。これらの構造材は、正角または平角の角材で、主に、すぎ、まつ、ひのき等の針葉樹が用いられる。正角の角材は、たとえば、１２ｃｍ角とし、平角の角材は、たとえば１２ｃｍ×２４ｃｍの寸法とする。土台１７、隅柱１１、軒桁１２、及び大梁１３を構成する構造材は、その接合部分において嵌合構造で連結されている。構造材を連結する嵌合構造として、たとえば、構造材の先端面に設けたホゾと、この先端面が連結される対向面に設けたホゾ穴が使用できる。この嵌合構造は、一方の構造材の先端面に設けたホゾを、他方の構造材の対向面に設けたホゾ穴に嵌入して互いに連結させる。また、互いに交差する構造材の嵌合構造としては、一方または両方の構造材の外周面に設けた嵌合溝を嵌合させる構造で連結できる。さらに、以上の構造材は、連結部に配設される補強金具を介して連結することもできる。補強金具を介して連結される構造材は、構造材の連結部を補強金具のみで連結して固定することもできるが、好ましくは、構造材同士を嵌合構造で連結すると共に、その連結部を補強金具で固定して、より強固に連結できる。とくに、強度が要求される連結部においては、嵌合構造と補強金具を併用することでより強固に連結できる。
【００２５】
（土台１７）
土台１７は、基礎７の上面にアンカーボルト（図示せず）を介して固定されている。土台１７は、木製の角材で、寸法を１０〜１２ｃｍ角としている。土台１７は、アンカーボルトを介して基礎７に緊結される。アンカーボルトは、土台１７が基礎７から浮き上がるのを防止して、土台１７を基礎７に固定する。アンカーボルトは、下端部を基礎７に垂直に埋設され、土台１７を貫通して、土台１７を基礎７に固定する。  
【００２６】
（隅柱１１）
隅柱１１は、平面視において長方形の骨組み１０Ｘの四隅に配置されている。隅柱１１は、基礎７の上面に水平に固定された土台１７の上に、垂直に固定されている。骨組み１０Ｘの両側に配置される隅柱１１は、上端に配置される軒桁１２を水平姿勢で支持すると共に、大梁１３と軒桁１２の交差部分を支持している。図１の骨組み１０Ｘは、屋根１を片流れの傾斜姿勢で支持するので、前面側の隅柱１１に対して背面側の隅柱１１を高くして、前面側の軒桁１２から背面側の軒桁１２に向かって上り勾配となるように、大梁１３を傾斜姿勢で配置している。
【００２７】
（軒桁１２）
軒桁１２は、骨組み１０Ｘの両側に対向して配置される隅柱１１の上端を水平に連結している。図の軒桁１２は、平角の角材としている。軒桁１２は、図１、図６、及び図７に示すように、両側の先端部を建物の外壁面１８Ｘから外側に突出させており、その先端を軒先まで延長している。この軒桁１２は、両側に突出する突出部で、軒部２の下面を支持している。この構造は、建物の両側に突出する軒部２を、外壁面１８Ｘから突出する軒桁１２の突出部によって安定して支持できる。
【００２８】
（大梁１３）
大梁１３は、軒桁１２に対して交差する姿勢で連結されている。図の大梁１３は、平角の角材としている。大梁１３は、図１、図４、図５に示すように、全体を傾斜する姿勢として、隅柱１１の上端に配置された前後の軒桁１２を連結している。大梁１３は、図４、図５、及び図７に示すように、上下の先端部を建物の外壁面１８Ｘから外側に突出させており、その先端を軒先まで延長している。この大梁１３は、前後に突出する突出部で、軒部２の下面を支持している。この構造は、建物の前後に突出する軒部２を、外壁面１８Ｘから突出する大梁１３の突出部によって安定して支持できる。
【００２９】
以上の軒桁１２と大梁１３は、図８に示すように、交差部分において嵌合構造で連結されており、この交差部分が隅柱１１で支持されている。図８に示す軒桁１２と大梁１３は、大梁１３を軒桁１２に対して傾斜姿勢で連結するために、交差部分に、互いに嵌合する嵌合溝１２Ａ、１３Ａを設けている。軒桁１２は、交差部分の上面側に、大梁１３を案内する嵌合溝１２Ａを設けている。図の軒桁１２は、大梁１３との対向部分を垂直方向に切り欠いて嵌合溝１２Ａを設けている。大梁１３は、交差部分の下面側に、軒桁１２を案内する嵌合溝１３Ａを設けている。図の大梁１３は、軒桁１２に対して傾斜姿勢で連結できるように、軒桁１２との対向部分を、大梁１３の幅方向に対して傾斜する方向に切り欠いて嵌合溝１３Ａを設けている。軒桁１２の嵌合溝１２Ａの溝幅は、大梁１３の厚さにほぼ等しく、大梁１３の嵌合溝１３Ａの溝幅は、軒桁１２の厚さにほぼ等しくしている。以上の軒桁１２と大梁１３は、対向する嵌合溝１２Ａ、１３Ａ同士を嵌合させて互いに連結される。
【００３０】
さらに、図８に示す軒桁１２は、横断面において上面を斜めにカットしてカット面１２ａを設けており、このカット面１２ａを大梁１３の上面に沿う傾斜面としている。この構造は、軒桁１２と大梁１３の交差部分の上面にフラットな部分を設けて、上面に屋根１を構築しやすくできる。図の軒桁１２は、上面全体をカット面１２ａとしている。したがって、大梁１３と軒桁１２は、傾斜する大梁１３の上面が、軒桁１２の上面のカット面１２ａと同一平面となるように、互いの嵌合溝１２Ａ、１３Ａの深さを調整している。ただ、軒桁は、必ずしも上面の全体にカット面を設けることなく、上面の一部にカット面を設けることもできる。また、軒桁は、必ずしも上面にカット面を設けることなく、上面を水平面とすることもできる。以上のようにして、軒桁１２と大梁１３は、その交差部分において嵌合構造で連結される。
【００３１】
（コーナー材１４）
さらに、以上の建物は、図１と図７に示すように、屋根１の下面に、大梁１３と軒桁１２との交差部分から屋根１のコーナー部に延びるコーナー材１４を固定している。図に示すコーナー材１４は、平角の角材としている。コーナー材１４は、その先端が屋根１のコーナー部まで延長されており、このコーナー材１４を介して軒部２のコーナー部の下面を支持している。大梁１３と軒桁１２との交差部分から屋根１のコーナー部に延びるコーナー材１４は、傾斜する屋根１の下面に沿う傾斜姿勢として、屋根１の下面に固定されている。
【００３２】
（十字状補強金具６）
以上の建物は、軒桁１２と大梁１３との交差部分に十字状補強金具６を固定しており、この十字状補強金具６で、大梁１３と軒桁１２との交差部分を補強している。十字状補強金具６を、図９ないし図１２に示している。図９は、図４及び図５に示す十字状補強金具６の拡大図であって、図１において屋根１の左側に配置される十字状補強金具６の右側面図を、図１０ないし図１２は、図７に示す十字状補強金具６であって、図１において右上に配置される十字状補強金具６の斜視図、分解斜視図、及び底面斜視図をそれぞれ示している。これらの図に示す十字状補強金具６は、軒桁１２と大梁１３の交差部分を上下の両側からカバーして補強している。十字状補強金具６は、図に示すように、軒桁１２と大梁１３の交差部分を下側からカバーする下側カバー金具６Ａと、上側からカバーする上側カバー金具６Ｂとを備えている。
【００３３】
下側カバー金具６Ａ及び上側カバー金具６Ｂは、図９ないし図１２に示すように、軒桁１２をカバーする溝形の桁連結部６２と、大梁１３をカバーする溝形の梁連結部６３と、コーナー材１４をカバーする溝形のコーナー側連結部６４を連結している。図の下側カバー金具６Ａ及び上側カバー金具６Ｂは、溝形の桁連結部６２と溝形の梁連結部６３とを十字状に交差する姿勢で連結しており、これらの交差部分に、屋根１のコーナー部に向かって延びる溝形のコーナー側連結部６４を連結している。十字状に連結される溝形の桁連結部６２と溝形の梁連結部６３は、各々の溝部を連通する状態で連結しており、十字状に連結される軒桁１２と大梁１３の交差部分を溝部の内側に案内できる形状としている。さらに、梁連結部６３は、桁連結部６２に対して傾斜する姿勢で連結されており、軒桁１２に対して傾斜姿勢で連結される大梁１３を案内してカバーできるようにしている。コーナー側連結部６４は、屋根１のコーナー部の下面を支持するコーナー材１４を連結している。図に示すコーナー側連結部６４は、コーナー材１４の後端部が案内されて連結されている。コーナー側連結部６４は、コーナー材１４を屋根１の下面に沿って配置できるように、屋根１の下面に沿う傾斜姿勢で桁連結部６２と梁連結部６３の交差部分に連結されている。
【００３４】
下側カバー金具６Ａは、図９ないし図１２に示すように、軒桁１２の下面側を案内して連結するの第１の桁連結部６２Ａと、大梁１３の下面側を案内して連結する第１の梁連結部６３Ａとを十字状に交差する姿勢で連結すると共に、これらの交差部分に、コーナー材１４の下面側を案内して保持する第１のコーナー側連結部６４Ａを連結している。第１の桁連結部６２Ａと第１の梁連結部６３Ａと第１のコーナー側連結部６４Ａは、横断面形状を上方開口の溝形としている。下側カバー金具６Ａは、軒桁１２、大梁１３、及びコーナー材１４の下面に沿う下側プレート部６５と、軒桁１２、大梁１３、及びコーナー材１４の両側面に沿う下側対向壁６６とを備えている。すなわち、第１の桁連結部６２Ａは、軒桁１２の下面に沿う下側プレート部６５ｘと、軒桁１２の両側面に沿う下側対向壁６６ｘを備え、第１の梁連結部６３Ａは、大梁１３の下面に沿う下側プレート部６５ｙと、大梁１３の両側面に沿う下側対向壁６６ｙを備え、また、第１のコーナー側連結部６４Ａは、コーナー材１４の下面に沿う下側プレート部６５ｚと、コーナー材１４の両側面に沿う下側対向壁６６ｚを備えている。下側カバー金具６Ａの下側対向壁６６は、後述する上側カバー金具６Ｂの上側対向壁６８に積層できる上下幅を有している。第１の桁連結部６２Ａは、下側プレート部６５ｘを水平な姿勢として、軒桁１２の下面を支持している。第１の梁連結部６３Ａと第１のコーナー側連結部６４Ａは、下側プレート部６５ｙ、６５ｚを傾斜する姿勢として、傾斜する大梁１３とコーナー材１４の下面を支持している。
【００３５】
さらに、図９ないし図１２に示す下側カバー金具６Ａは、第１の桁連結部６２Ａと第１の梁連結部６３Ａの交差部分の下面に、隅柱１１を通過させる開口部を設けると共に、この開口部の開口縁に沿って、隅柱１１を連結する柱連結部６１を設けている。柱連結部６１は、四角形である隅柱１１の２面ないし４面に沿う固定プレート６９を備えており、垂直姿勢の隅柱１１の上端部を案内して固定できるようにしている。図１２に示す柱連結部６１は、隅柱１１の４面に沿う固定プレート６９を備えている。この固定プレート６９は、金属板を角筒状に成形している。断面形状を四角形状とする固定プレート６９は、隅柱１１の外周面に沿って配置されている。この柱連結部６１は、固定プレート６９と隅柱１１とを貫通するボルト７０と、このボルト７０の先端がねじ込まれるナット７１を介して隅柱１１に固定されている。図示しないが、隅柱の２面に沿う固定プレートは、隅柱の隣り合う２面に沿うＬ字状の金属板とし、あるいは対向する２面に沿う２枚の平行な金属板とすることができる。また、隅柱の３面に沿う固定プレートはコ字状に成形される。これらの柱連結部も、固定プレートと隅柱とを貫通するボルトを介して隅柱に固定される。以上のように、下側カバー金具６Ａに柱連結部６１を設けて隅柱１１に固定する十字状補強金具６は、より強固に軒桁１２と大梁１３の交差部分を補強できる。ただ、十字状補強金具は、必ずしも下側カバー金具を隅柱に固定する必要はなく、柱連結部を省略することもできる。この下側カバー金具は、第１の桁連結部と第１の梁連結部の交差部分の下面に設けた開口部に隅柱を通過させる。
【００３６】
以上の下側カバー金具６Ａは、隅柱１１の上端に軒桁１２を連結する前工程として、柱連結部６１に隅柱１１を挿通した後、隅柱１１の上端に軒桁１２を連結して、軒桁１２を第１の桁連結部６２Ａの溝部に案内する。この下側カバー金具６Ａは、図示しないが、柱連結部６１の固定プレート６９に釘孔を設けて、この釘孔に釘を打ち込んで隅柱１１の上端部に仮止めすることができる。
【００３７】
さらに、十字状補強金具の下側カバー金具は、隅柱の上端に軒桁と大梁が連結された状態で、軒桁と大梁の交差部分を下側からカバーできる構造とすることもできる。図１３に示す下側カバー金具６Ａは、軒桁１２と大梁１３が連結された隅柱１１を通過させる柱通過隙間６０を設けている。図１３の下側カバー金具６Ａは、第１の桁連結部６２Ａと第１の梁連結部６３Ａの交差部分から軒先と反対側に延びる建物側の第１の桁連結部６２Ａにおいて、下側プレート部を設けることなく上下両面を開口すると共に、柱連結部６１においては、この方向に固定プレートを設けることなく開口して、隅柱１１を通過できる柱通過隙間６０を設けている。この下側カバー金具６Ａは、軒桁１２と大梁１３が連結された隅柱１１をこの柱通過隙間６０に通過させて、柱連結部６１に隅柱１１を嵌入し、さらに、第１の桁連結部６２Ａに軒桁１２を、第１の梁連結部６３Ａの溝部に大梁１３を嵌入して定位置に配置される。図に示す下側カバー金具６Ａは、第１の桁連結部６２Ａの建物側に柱通過隙間６０を設けているが、下側カバー金具は、第１の梁連結部の建物側に柱通過隙間を設けることもできる。
【００３８】
上側カバー金具６Ｂは、図９ないし図１１に示すように、軒桁１２の上面側を案内して連結する第２の桁連結部６２Ｂと、大梁１３の上面側を案内して連結する第２の梁連結部６３Ｂとを十字状に交差する姿勢で連結すると共に、これらの交差部分に、コーナー材１４の上面側を案内して保持する第２のコーナー側連結部６４Ｂを連結している。第２の桁連結部６２Ｂと第２の梁連結部６３Ｂと第２のコーナー側連結部６４Ｂは、横断面形状を下方開口の溝形としている。上側カバー金具６Ｂは、軒桁１２、大梁１３、及びコーナー材１４の上面に沿う上側プレート部６７と、軒桁１２、大梁１３、及びコーナー材１４の両側面に沿う上側対向壁６８とを備えている。すなわち、第２の桁連結部６２Ｂは、軒桁１２の上面のカット面１２ａに沿う上側プレート部６７ｘと、軒桁１２の両側面に沿う上側対向壁６８ｘを備え、第２の梁連結部６３Ｂは、大梁１３の上面に沿う上側プレート部６７ｙと、大梁１３の両側面に沿う上側対向壁６８ｙを備え、また、第２のコーナー側連結部６４Ｂは、コーナー材１４の上面に沿う上側プレート部６７ｚと、コーナー材１４の両側面に沿う上側対向壁６８ｚを備えている。上側カバー金具６Ｂの上側対向壁６８は、前述の下側カバー金具６Ａの下側対向壁６６に積層できる上下幅を有している。第２の桁連結部６２Ｂ、第２の梁連結部６３Ｂ、及び第２のコーナー側連結部６４Ｂは、上側プレート部６７を屋根１の傾斜方向に沿う傾斜面として、軒桁１２のカット面１２ａと、大梁１３の上面と、コーナー材１４の上面とが同一平面上に位置するようにカバーしている。
【００３９】
以上の十字状補強金具６は、下側カバー金具６Ａを軒桁１２と大梁１３の交差部分の下面側に嵌合させると共に、上側カバー金具６Ｂを軒桁１２と大梁１３の交差部分の上面側に嵌合させて、上下の両側からカバーする。軒桁１２と大梁１３の交差部分を上下からカバーする上側カバー金具６Ｂと下側カバー金具６Ａは、下側対向壁６６と上側対向壁６８とが互いに重ねられる上下幅を有しており、互いに対向する上側対向壁６８と下側対向壁６６の積層部を貫通するボルト７０と、このボルト７０の先端がねじ込まれるナット７１を介して互いに連結される。すなわち、第１の桁連結部６２Ａと第２の桁連結部６２Ｂは、軒桁１２の両側面をカバーする下側対向壁６６ｘ及び上側対向壁６８ｘの積層部と、軒桁１２とを貫通するボルト７０を介して軒桁１２に固定されて互いに連結される。また、第１の梁連結部６３Ａと第２の梁連結部６３Ｂは、大梁１３の両側面をカバーする下側対向壁６６ｙ及び上側対向壁６８ｙの積層部と、大梁１３とを貫通するボルト７０を介して大梁１３に固定されて互いに連結される。さらに、上側カバー金具６Ｂと下側カバー金具６Ａは、互いに対向する上側プレート部６７と下側プレート部６５を貫通するボルト７０と、このボルト７０の先端がねじ込まれるナット７１を介して連結される。すなわち、第１の桁連結部６２Ａと第２の桁連結部６２Ｂは、軒桁１２の上下をカバーする下側プレート部６５ｘ及び上側プレート部６７ｘと、軒桁１２を貫通するボルト７０を介して軒桁１２に固定されて互いに連結される。また、第１の梁連結部６３Ａと第２の梁連結部６３Ｂは、大梁１３の上下をカバーする下側プレート部６５及び上側プレート部６７と、大梁１３とを貫通するボルト７０を介して大梁１３に固定されて互いに連結される。
【００４０】
以上の連結構造は、軒桁１２及び大梁１３を上下からカバーする上側カバー金具６Ｂと下側カバー金具６Ａとを、水平方向に貫通するボルト７０と、上下方向に貫通するボルト７０の両方で連結するので、上側カバー金具６Ｂと下側カバー金具６Ａとを強固に連結できる。このように、軒桁１２と大梁１３に強固に連結される十字状補強金具６は、軒桁１２と大梁１３の交差部分をより強固に補強できる。互いに交差する姿勢で連結される軒桁１２と大梁１３は、交差部分に大きな曲げ応力が作用しやすくなる。とくに、軒桁１２と大梁１３は、図８に示すように、交差部分に嵌合溝１２Ａ、１３Ａを設けて嵌合構造で連結されるので、嵌合溝１２Ａ、１３Ａによって交差部分の曲げ強度が低下して、風圧で作用する曲げ力で破損しやすくなる。しかしながら、以上の構造では、軒桁１２と大梁１３の交差部分を十字状補強金具６で補強しているので、この部分の損傷を確実に阻止できる。
【００４１】
さらに、軒桁１２と大梁１３の交差部分を上下からカバーする十字状補強金具６は、対向する第１のコーナー側連結部６４Ａと第２のコーナー側連結部６４Ｂの間にコーナー材１４が挿入されて連結される。コーナー側連結部６４に挿入されるコーナー材１４は、コーナー材１４を貫通するボルト７０と、このボルト７０の先端がねじ込まれるナット７１を介してコーナー側連結部６４に連結される。第１のコーナー側連結部６４Ａと第２のコーナー側連結部６４Ｂは、コーナー材１４の両側面をカバーする下側対向壁６６ｚ及び上側対向壁６８ｚの積層部と、コーナー材１４とを貫通するボルト７０を介してコーナー材１４に固定されて互いに連結される。さらに、第１のコーナー側連結部６４Ａと第２のコーナー側連結部６４Ｂは、コーナー材１４の上下をカバーする上側プレート部６７ｚ及び下側プレート部６５ｚと、コーナー材１４を貫通するボルト７０を介してコーナー材１４に固定されて互いに連結される。
【００４２】
図１１と図１２に示す下側カバー金具６Ａと上側カバー金具６Ｂは、ボルト７０が挿通される位置に挿通孔７２を設けている。下側カバー金具６Ａは、一対の下側対向壁６６の対向する位置に挿通孔７２を設けている。上側カバー金具６Ｂは、一対の上側対向壁６８の対向する位置に挿通孔７２を設けている。さらに、下側カバー金具６Ａと上側カバー金具６Ｂは、互いに対向する下側プレート部６５と上側プレート部６７の対向する位置にも各々挿通孔７２を設けている。さらに、下側カバー金具６Ａの柱連結部６１も、ボルト７０が挿通される位置に挿通孔７２を設けている。図１２に示す柱連結部６１は、コ字状に折曲された固定プレート６９の互いに対向する面に挿通孔７２を設けている。
【００４３】
ボルト７０を介して十字状補強金具６に連結される隅柱１１、軒桁１２、大梁１３、及びコーナー材１４は、ボルト７０を挿通する位置にあらかじめ貫通孔を設けることができる。貫通孔を設けた隅柱、軒桁、大梁、及びコーナー材は、貫通孔にボルトをスムーズに挿通できる。ただ、隅柱、軒桁、大梁、及びコーナー材には、必ずしも貫通孔を設ける必要はない。十字状補強金具６を定位置にセットする状態で、十字状補強金具６の挿通孔７２にドリルを入れて簡単に孔を開けることができるからである。
【００４４】
以上の十字状補強金具６は、軒桁１２と大梁１３との交差部分を強固に補強できる。このため、この建物は、十字状補強金具６で補強される軒桁１２や大梁１３を介して軒部２の下面を強固に支持できる。また、この建物は、コーナー側連結部６４に連結されるコーナー材１４を介して、軒部２のコーナー側の下面を強固に支持できる。この十字状補強金具６は、軒桁１２をカバーする桁連結部６２を長くし、大梁１３をカバーする梁連結部６３を長くすることで、軒桁１２と大梁１３との交差部分をより強固に補強して、軒部２の下面を強固に支持できる。また、コーナー側連結部６４を長くすることで、軒部２のコーナー側の下面をより強固に支持できる。ただ、桁連結部や梁連結部、あるいはコーナー側連結部を長くすると、十字状補強金具の重量が重くなると共に、製造コストが高くなる。したがって、これらのことを考慮して、桁連結部６２や梁連結部６３、あるいはコーナー側連結部６４は、交差部分から突出する長さを最適な長さに設計する。
【００４５】
図７、及び図９ないし図１２に示す十字状補強金具６の桁連結部６２及び梁連結部６３は、交差部分から両側に突出する突出量をほぼ等しくしている。ただ、桁連結部や梁連結部は、交差部分から軒先側に突出する突出量を、反対側である建物側に突出する突出量よりも大きくすることができる。このように、軒先側の突出量を大きくする十字状補強金具は、軒桁と大梁の交差部分を補強しながら、軒桁や大梁の軒先側の突出部を補強して、軒部の下面をより強固に支持できる。ここで、図に示す十字状補強金具６の桁連結部６２及び梁連結部６３は、交差部分から両側に突出する突出量を、軒部２の突出長さの約１／３としている。ただ、十字状補強金具６の桁連結部６２及び梁連結部６３は、交差部分から軒先側に突出する突出量を、軒部２の突出長さの１／５以上、好ましくは１／４以上とし、交差部分から建物側に突出する突出量を、軒部２の突出長さの１／５〜１／２とすることができる。さらに、十字状補強金具６のコーナー側連結部６４は、交差部分から屋根１のコーナー部に向かって突出する突出量を、十字状補強金具６の交差部分から屋根１のコーナー部まで延長されるコーナー材１４の全長の１／５以上、好ましくは１／４以上とすることができる。
【００４６】
さらに、十字状補強金具は、桁連結部の軒先側、あるいは梁連結部の軒先側、あるいはまたコーナー側連結部を屋根の軒先まで延長することができる。図１４に示す十字状補強金具６は、桁連結部６２及び梁連結部６３の軒先側と、コーナー側連結部６４を軒先まで延長している。このように、桁連結部６２や梁連結部６３やコーナー側連結部６４を屋根の軒先まで延長する構造は、軒先まで延長される十字状補強金具６で軒部２の下面をより強固に支持できる。ただ、十字状補強金具は、桁連結部、梁連結部、コーナー側連結部のいずれかひとつ、または二つを軒先まで延長することもできる。
【００４７】
さらに、図９ないし図１１に示す十字状補強金具６の下側カバー金具６Ａと上側カバー金具６Ｂは、対向する桁連結部６２、梁連結部６３、及びコーナー側連結部６４の突出量を等しくしている。ただ、下側カバー金具と上側カバー金具は、対向する桁連結部、梁連結部、あるいはコーナー側連結部の長さを必ずしも等しくする必要はなく、一方を長くすることもできる。たとえば、十字状補強金具は、上側カバー金具の桁連結部、梁連結部、あるいはコーナー側連結部を、対向する下側カバー金具よりも長くすることができる。この十字状補強金具も、軒先側に延びる上側カバー金具の桁連結部、梁連結部、あるいはコーナー側連結部によって、軒部の下面をより強固に支持できる。図１５に示す十字状補強金具６の上側カバー金具６Ｂは、第２の梁連結部６３Ｂの軒先側を下側カバー金具６Ａの第１の梁連結部６３Ａよりも長くしている。図に示す十字状補強金具６は、軒先側に突出する上側カバー金具６Ｂの第２の梁連結部６３Ｂの突出量を、軒部２の突出長さの約２／３とし、軒先側に突出する下側カバー金具６Ａの第１の梁連結部６３Ａの突出量を、軒部２の突出長さの約１／３としている。下側カバー金具６Ａの第１の梁連結部６３Ａよりも長く突出する上側カバー金具６Ｂの第２の梁連結部６３Ｂは、対向する上側対向壁６８と大梁１３を貫通するボルト７０を介して大梁１３に強固に連結される。このように、上側カバー金具の桁連結部、梁連結部、あるいはコーナー側連結部のみを下側カバー金具よりも長くする構造は、両方を長くする構造に比べて十字状補強金具全体の重量を軽くしながら、製造コストを低減できる特徴がある。
【００４８】
（軒先梁１５）
さらに、図６と図７に示す建物は、屋根１の両側縁の下面に、大梁１３と平行に軒先梁１５を固定している。この軒先梁１５は、軒桁１２の両端に連結している。このように、屋根の両側縁を軒先梁１５で支持する構造は、軒部２を軒先梁１５で補強して強風による損傷を防止できる。
【００４９】
（軒先桁１９）
さらに、図４、図５、及び図７に示す建物は、屋根１の上下の端縁の下面に、軒桁１２と平行に軒先桁１９を固定している。この軒先桁１９は、大梁１３の両端に連結している。このように、屋根の上下の端縁を軒先桁１９で支持する構造は、軒部２を軒先桁１９で補強して強風による損傷を防止できる。
【００５０】
さらに、図示しないが、建物本体の骨組みは、隅柱の間にいくつかの柱を配置し、軒桁の間には母屋桁を配置し、大梁の間にはいくつかの大梁もしくは小梁を配置することもできる。この建物本体は、骨組みをさらに強固にして、大きな面積の屋根を安定して支持できる。
【００５１】
（屋根構造）
次に、片流れ屋根１Ｘの屋根構造について詳述する。
片流れ屋根１Ｘは、傾斜姿勢で配置された大梁１３の上面に固定されている。図４ないし図６に示す屋根１は、多数の屋根材２０が敷設される屋根プレート２１を備えている。建物は、大梁の上面に、直接に屋根プレートを固定して屋根を構築することもできるが、図に示す屋根１は、上下の中間に、すなわち上面と下面の間に、外気を通過させる空気層２５を設けて、この空気層２５の上端と下端を外部に開口している。
【００５２】
この屋根構造は、屋根プレート２１から下方に離して区画プレート２２を設けており、屋根プレート２１と区画プレート２２との間に空気層２５を設けている。この屋根１は、図４ないし図６に示すように、大梁１３の上面に区画プレート２２を固定すると共に、区画プレート２２と屋根プレート２１との間には、複数の垂木２３を所定の間隔で上下方向に配設しており、この垂木２３によって、屋根プレート２１と区画プレート２２との間に空気層２５を設けている。空気層２５は、外気を自然に、あるいは強制的に傾斜方向に流通できるように、屋根１の上下端部において、換気口２６で外部に開口している。
【００５３】
さらに、図４ないし図６に示す屋根１は、軒部２の裏面側の外観をよくするために、軒裏を見上板２４で閉塞している。さらに、この見上板２４は、図４と図５に示すように、上下端部において換気口２６に連通する通気部２８を設けている。すなわち、この屋根１は、図４と図５に示すように、下端部において通気部２８と換気口２６を通過した外気を空気層２５に流入し、上端部において空気層２５を通過した空気を換気口２６と通気部２８に通過させて外部に排気する。
【００５４】
屋根１の上下端部に設けた換気口２６と通気部２８で建物外に開口している空気層２５は、下方の通気部２８及び換気口２６から上方の換気口２６及び通気部２８に外気を通過させて、外気を流通させる。この空気層２５に自然に外気が換気されるのは、自然対流の作用と風の作用による。南向きに上り勾配で形成される片流れ屋根１Ｘは、太陽光による直射日光で加熱され、あるいは、太陽光で加熱される太陽電池パネル９の輻射熱によって加熱される。加熱された屋根プレート２１は、その下方の空気層２５の空気を加温して軽くする。軽くなった空気は、空気層２５の内部を上昇する。このため、太陽光により暖められる空気層２５の空気は、空気層２５の内部を上昇して、屋根１の上部から建物外に排気される。すなわち、空気層２５の空気は、下方から上方に自然に対流しながら流通されて、屋根プレート２１を下面から冷却する。
【００５５】
さらに、空気層２５には、自然対流の作用のみでなく、風によっても強制的に送風されることがある。それは、一方の通気部２８に風が強く吹き付けられると、この風が換気口２６から空気層２５に案内されて、内部を通過するからである。好都合なことに、日本では夏期の暑いときに主として南風が吹く。南風は、南斜面の下方に開口された通気部２８に吹き付けられて、空気層２５の空気を下方から上方へ強制的に送風する。このように、空気層２５に自然に外気が換気される建物は、空気層２５に必ずしも外気を強制送風する必要はない。このため、ランニングコストを皆無にしながら理想的に建物を冷却できる。ただ、本発明の建物は、空気層２５に強制送風して屋根プレート２１を冷却することもできる。この建物は、空気層２５に強制的に外気を送風し、あるいは空気層２５から強制的に排気するファンを換気口に設けて、空気層２５をより効果的に換気できる。
【００５６】
図４と図５に示す建物は、屋根１の空気層２５の下端部と上端部に換気口２６を設けている。空気層２５の上下端部に設けられる換気口２６に連通される通気部２８は、雨水が侵入しないように軒下に開口している。さらに、図４ないし図６に示す屋根１は、外周面であって、軒先梁１５と軒先桁１９の外側に破風板１６を固定しており、通気部２８の外側を破風板１６でカバーして雨水が浸入しないようにしている。図の破風板１６は、厚さに対して上下幅の広い板材で、幅広面を大梁１３と垂木２３の端面に当接させて、軒先梁１５と軒先桁１９の外側に固定している。破風板１６は、屋根１の上面から下方に延長して設けており、通気部２８への空気を通過できるが雨水が浸入しないように下方を開口する状態で配設している。さらに、図５に示すように、屋根１の上端側の軒裏に固定される見上板２４の内面には水切板２９を固定して、通気部２８から浸入する雨水が建物の内部に流下して浸入するのを防止している。
【００５７】
屋根プレート２１の上面には、多数の屋根材２０を縦横に隙間なく並べて敷設している。屋根材２０は、瓦やスレートで、互いに隣接する屋根材２０同士の境界部分を積層する状態で屋根プレート２１の上面を隙間なく被覆している。屋根材２０は、境界部分を積層することで、雨水が内側に浸入しないようにしている。図に示す屋根１は、上面に太陽電池パネル９を設置するので、この太陽電池パネル９を設置するための固定金具２７を屋根材２０の隙間から表出させている。固定金具２７は、屋根側の先端部を屋根プレート２１に固定し、外側に突出する先端部に、後述する固定フレームを３４を固定している。太陽電池パネル９は、この固定フレーム３４を介して屋根１の上面に固定される。さらに、屋根１の上端には、化粧屋根材２０Ａを配置しており、屋根１の上端縁のコーナー部を被覆している。
【００５８】
以上の片流れ屋根１Ｘは、上面に設置される太陽電池パネル９２の設置角度を、片流れ屋根１Ｘの勾配によって決定している。ここで、太陽電池パネル９２の設置角度は、設置される場所の緯度に応じて特定される。それは、太陽の南中角度が、緯度と季節によって変化するからである。また、太陽の高度は一日の間においても時間により変化し、正午近くで最も高くなる。一般に、年間の最大発電量が得られる最適な設置角度は知られている。したがって、片流れ屋根１Ｘの勾配は、太陽電池パネル９の設置角度が、このような既知の最適角度に近づくのを理想として設計する。
【００５９】
片流れ屋根１Ｘの勾配は、２寸勾配〜１０寸勾配とすることができる。片流れ屋根１Ｘの勾配は、後述する太陽電池パネル９を設置する際の設置角度を考慮して決定する。ここで、片流れ屋根１Ｘの勾配を大きくすると、建坪に対する屋根全体の面積を大きくできると共に、雨水の流下をスムーズにして太陽電池パネル９の表面に付着する埃等を流水で綺麗に洗い流すことができるが、外壁面１８Ｘから突出する軒部２が風の影響を受けやすくなる。したがって、片流れ屋根１Ｘの勾配は、好ましくは、３寸勾配〜６寸勾配とする。
【００６０】
（太陽電池パネル９）
太陽電池パネル９は、複数の太陽電池セル９０を平面状に配置し、この面を太陽光の受光面として表出させた平板状のパネルである。太陽電池パネル９は、図１６に示すように、複数の太陽電池セル９０を備える方形状のパネル本体９１と、このパネル本体９１の下面に積層されて、パネル本体９１を支持するベースプレート９２とを備えている。パネル本体９１は、複数の太陽電池セル９０を縦横に並べて配列すると共に、その表面の受光面側に透光性を有する強化ガラス９４を配置し、裏面側にはフィルム９５を積層して複数の太陽電池セル９０をその間に挟む状態で、内部の隙間に透明樹脂（図示せず）を充填している。ベースプレート９２は、パネル本体９１の外形に沿う方形状の金属製の平板で、上面にパネル本体９１を積層している。平板であるベースプレート９２は、パネル本体９１を搭載できる外形とすると共に、搭載されるパネル本体９１を支持できる強度となる厚さとしている。さらに、図１６に示すベースプレート９２は、太陽電池セル９０で発電された電力を外部に出力する出力ラインとなる配線９７を外部に引き出すための貫通穴９６を中央部に開口している。パネル本体９１から引き出された配線９７は、この貫通穴９６を通過して太陽電池パネル９の外部に引き出されている。以上のパネル本体９１とベースプレート９２との積層体の外周に金属製の外枠９３を取り付けて、全体の形状を板状とする太陽電池パネル９を製造している。
【００６１】
以上の太陽電池パネル９は、図４ないし図６に示すように、複数の固定フレーム３４を介して片流れ屋根１Ｘの上面に、屋根１と平行に、すなわち屋根１の上面との間に一定の隙間を設けて設置される。複数の固定フレーム３４は、片流れ屋根１Ｘの上面に、上下方向に延長して屋根材２０の表面に沿う傾斜姿勢で、等間隔に配置されている。固定フレーム３４は、前述の固定金具２７を介して、すなわち、一端が屋根プレート２１に固定されて、他端が屋根材２０の隙間から外側に突出する固定金具２７を介して屋根１に固定されている。ただ、固定フレームは、屋根を貫通するボルトや、屋根材を貫通する止ネジを介して屋根に固定することもできる。この固定フレーム３４によって、太陽電池パネル９と屋根１との間に、外気を通過できる空気層３５を設けている。太陽電池パネル９と屋根１との間に形成される空気層３５の上下幅は、たとえば３ｃｍ〜２０ｃｍ、好ましくは、５ｃｍ〜１０ｃｍとする。このように太陽電池パネル９と屋根１との間に空気層３５を設ける構造は、空気層３５によって太陽電池パネル９を下面から冷却するので、太陽電池パネル９の温度上昇を少なくして、温度上昇による発電効率の低下を防止できる。とくに、発電電力の大きい夏期において、太陽電池パネル９の温度上昇を防止して、発電効率を高く、発電電力を大きくできる。
【００６２】
太陽電池パネル９は、ネジ止め等により固定フレーム３４に固定されて片流れ屋根１Ｘの上面に設置される。複数の太陽電池パネル９は、図１の鎖線で示すように、縦横に隙間なく並べた状態で、片流れ屋根１Ｘの上面に所定の姿勢で設置される。建物は、多数の太陽電池パネル９を備えており、トータルの定格出力を大きくしている。太陽電池発電装置は、太陽電池パネル９全体の面積を、たとえば１００ｍ２以上として、トータル定格出力を１０ＫＷ以上とする。この建物は、たとえば、数十個の太陽電池パネル９を備えている。
【００６３】
（実施の形態２）
さらに、図１７ないし図２２に示す建物は、外壁面１８Ｘから外側に突出する屋根１の軒部２、とくにコーナー部を補強するために、以上の構造に加えて、屋根１のコーナー部を、補強ステー３を介して隅柱１１の上下の途中、または土台１７に連結している。この構造は、屋根１の四隅をより強固に補強して、強風による軒部２の損傷を確実に防止できる。この建物は、屋根１に固定している屋根連結金具５と、隅柱１１の上下の途中に固定している柱連結金具４とを介して屋根１と隅柱１１とを補強ステー３で連結し、あるいは、屋根１に固定している屋根連結金具５と、土台１７の隅部に固定している隅部補強金具８とを介して屋根１と土台１７とを補強ステー３で連結している。図に示す建物は、屋根１の上端側に連結された補強ステー３を隅柱１１の上下の途中に連結し、屋根１の下端側に連結された補強ステー３を土台１７に連結している。
【００６４】
（補強ステー３）
補強ステー３は、引っ張りと圧縮に対して十分な強度を有するように、板状またはロッド状の金属部材が使用できる。図に示す補強ステー３は、細長い帯状の金属板としている。この補強ステー３は、所定の厚さとすることで、最も簡単な構造としながら、引張強度と圧縮強度の両方を強くできる。ただ、補強ステーは、断面形状をＬ字状やＣ字状とする金属鋼として強度を強くすることもできる。補強ステー３は、両端部に、連結部材であるボルト４５を挿通する貫通孔を開口している。
【００６５】
（屋根連結金具５）
屋根連結金具５は、屋根１の軒先部が挿入される溝形固定部５１と、この溝形固定部５１の下面から突出してなる固定リブ５２とを備えている。溝形固定部５１は、屋根１の軒先部を挿入できる溝形状であって、金属板を折曲または連結して製造している。図２０ないし図２２に示す屋根１は、外周面に破風板１６を固定している。このため、屋根連結金具５の溝形固定部５１は、破風板１６を挿入できる構造としている。破風板１６を連結する溝形固定部５１は、厚さに対して上下幅の大きい板材からなる破風板１６を挿入できる溝幅を有する溝形に成形している。
【００６６】
屋根１のコーナー部を連結する屋根連結金具５の溝形固定部５１は、図２２に示すように、屋根１の背面側に配置される破風板１６に沿う支持プレート部５１ａと、側面側に配置される破風板１６に沿う支持プレート部５１ｂとを直角に連結すると共に、連結された２枚の支持プレート部５１ａ、５１ｂの上下の両端に、保持プレート部５１ｃを連結して屋根１のコーナー部の破風板１６を挿入して連結する溝形に成形している。
【００６７】
以上の屋根連結金具５は、溝形固定部５１に破風板１６を挿入して固定する構造としているが、屋根連結金具は、図示しないが、溝形固定部を破風板に固定することなく、コーナー材の先端部や軒先梁の先端部に固定することもできる。この屋根は、コーナー材の先端部や軒先梁の先端部に固定された溝形固定部の外側に破風板を配置して、屋根の外周面を破風板でカバーできる。
【００６８】
さらに、以上の溝形固定部５１は、その下面に、下向きに突出する固定リブ５２を設けている。屋根１のコーナー部に連結される溝形固定部５１の固定リブ５２は、コーナー材１４の延長方向に沿う斜め方向に固定されており、この固定リブ５２に連結される補強ステー３の下端を、四隅に位置する隅柱１１または土台１７にスムーズに連結できるようにしている。
【００６９】
以上の固定リブ５２は、ボルト４５を挿通する貫通孔を開口している。補強ステー３の上端部と固定リブ５２とを貫通するボルト４５にナット４６がねじ込まれて、補強ステー３が屋根連結金具５に連結される。
【００７０】
以上の屋根連結金具５は、屋根１の軒先部が挿入される溝形固定部５１を備えているが、屋根連結金具は、必ずしも溝形固定部を備える必要はなく、屋根のコーナー部に連結されて、補強ステーの上端部を連結できる他のすべての構造とすることができる。
【００７１】
（柱連結金具４）
柱連結金具４は、四角形である隅柱１１の２面ないし４面に沿う固定プレート４１と、この固定プレート４１の表面から突出している固定リブ４２とを備えている。図２１と図２２に示す柱連結金具４は、隅柱１１の３面に沿う固定プレート４１を備えている。この固定プレート４１は、金属板をコ字状に折曲加工して成形している。断面形状をコ字状とする固定プレート４１は、隅柱１１の外周面に沿って配置されており、固定プレート４１と隅柱１１とを貫通するボルト４３を介して隅柱１１に固定している。図示しないが、隅柱の２面に沿う固定プレートは、金属板をＬ字状に折曲して成形され、また、隅柱の４面に沿う固定プレートは角筒状に成形される。これらの固定プレートも、固定プレートと隅柱とを貫通するボルトを介して隅柱に固定される。
【００７２】
さらに、柱連結金具４は、補強ステー３を連結するための固定リブ４２を備えている。固定リブ４２は、屋根連結金具５の固定リブ５２に固定される補強ステー３をスムーズに連結できるように、図２２に示すように、互いに対向して配置される固定リブ４２と固定リブ５２の向きを等しくしている。固定リブ４２は、固定プレート４１の表面から外側に突出する姿勢で固定されている。図に示す柱連結金具４は、屋根１のコーナー方向に補強ステー３を連結できるように、コーナー方向に突出する固定リブ４２を設けている。この構造の柱連結金具４は、突出する固定リブ４２に連結される補強ステー３を、屋根１のコーナー部に連結される屋根連結金具５に連結して、屋根１のコーナー部を強固に補強できる。
【００７３】
以上の固定リブ４２は、ボルト４５を挿通する貫通孔を開口している。補強ステー３の下端部と固定リブ４２とを貫通するボルト４５にナット４６がねじ込まれて、補強ステー３が柱連結金具４に連結される。
【００７４】
（隅部補強金具）
隅具補強金具は、図１７、図２０、及び図２３に示すように、平面視長方形の土台１７の角隅において、基礎７と土台１７と隅柱１１の連結部分に固定されて、この連結部分を補強している。隅部補強金具８は、図２３に示すように、隅柱１１の表面に接して隅柱１１に連結される柱連結部８１と、この柱連結部８１の直角の２方向に突出するように連結されて、土台１７を嵌入する土台連結部８３とを備えている。さらに、図の隅部補強金具８は、柱連結部８１と土台連結部８３に連結されている筋かい連結部８４も備えている。
【００７５】
隅部補強金具８の土台連結部８３は、土台１７の水平面内における対向面に接する一対の側壁８６と、一対の側壁８６を連結する連結プレート８５とを備えている。隅柱１１を土台１７に連結する隅部補強金具８の土台連結部８３は、図２３に示すように、側壁８６の上面を連結プレート８５で連結している。連結プレート８５と側壁８６とで形成されるコ字状の溝に土台１７を嵌入して、土台連結部８３は土台１７に連結される。
【００７６】
隅部補強金具８の柱連結部８１は、隅柱１１の外側に接するように、Ｌ字状に折曲された形状の外側プレート８７で構成される。Ｌ字状の柱連結部８１は、隅柱１１の２面に連結される。ただ、柱連結部は、隅柱の１面に連結することもできる。この柱連結部は、Ｌ字状ではなく平面状に形成される。図２３の隅部補強金具８は、一方の外側プレート８７に直角に対向プレート８８を連結している。対向プレート８８は、外側プレート８７との間を、隅柱１１を嵌入して連結する隙間としている。この構造の柱連結部８１は、隅柱１１を貫通するボルト８９の両端を外側プレート８７と対向プレート８８に連結して、隅柱１１を強固に連結できる。ただ、柱連結部は、必ずしも対向プレートを設ける必要はなく、外側プレートを長くして隅柱との連結強度を向上することもできる。長い外側プレートは、多数の挿通孔を設け、ここに挿入するボルトでしっかりと隅柱に連結できる。
【００７７】
隅部補強金具８の筋かい連結部８４は、柱連結部８１の外側プレート８７と土台連結部８３の一方の側壁８６に連結されている。図の隅部補強金具８は、１枚の金属板を折曲加工して、柱連結部８１の外側プレート８７と筋かい連結部８４と、土台連結部８３の一方の側壁８６としている。
【００７８】
さらに、図２３に示す隅部補強金具８は、土台１７に隅柱１１を嵌合構造で連結する状態で装着できるように、隅柱１１を土台１７に連結する状態で隅柱１１を通過させる柱通過隙間８０を設けている。この隅部補強金具８は、柱連結部８１から一方に突出している土台連結部８３の下方を開口して上面を連結プレート８５で閉塞し、柱連結部８１の他方に突出する土台連結部８３は上下両面を開口して、土台１７に連結している隅柱１１を通過できる柱通過隙間８０を設けている。この柱通過隙間８０に、土台１７に固定している隅柱１１を通過させて、隅部補強金具８は土台１７と隅柱１１に嵌入して固定される。
【００７９】
以上の隅部補強金具８は、土台連結部８３と柱連結部８１に挿通孔８９を設けている。土台連結部８３は、対向して配設される一対の側壁８６の対向する位置に挿通孔８９を設けて、土台１７を貫通するボルト７９を介して側壁８６に連結している。柱連結部８１は、外側プレート８７と対向プレート８８とを隅柱１１の対向面に配置できる構造にあっては、対向する位置に挿通孔８９を設けて、隅柱１１を貫通するボルト７９を介して外側プレート８７や対向プレート８８に連結する。隅柱と土台には、ボルトを挿通する位置にあらかじめ貫通孔を設けることができる。この隅柱や土台は、貫通孔にボルトをスムーズに挿通できる。ただ、隅柱や土台には、必ずしも貫通孔を設ける必要はない。隅部補強金具８を定位置にセットする状態で、挿通孔８９にドリルを入れて簡単に孔を開けることができるからである。
【００８０】
土台連結部８３は、ボルト７９を水平方向に貫通させて、土台１７を固定できるように、互いに対向する両側の側面に挿通孔８９を設けている。挿通孔８９に挿入されたボルト７９は、土台１７を貫通して、土台連結部８３を土台１７に固定する。土台連結部８３は、挿通孔８９を複数個設け、各々の挿通孔８９にボルト７９を挿通して、土台連結部８３をしっかりと土台１７に固定できる。さらに、土台連結部８３には、基礎７に固定しているアンカーボルト７８を挿通するための止孔７７を連結プレート８５に設けて、土台２Ａにしっかりと固定できる。
【００８１】
さらに、隅部補強金具８は、図２０に示すように、補強ステー３を連結するための固定リブ８２を備えている。図１７と図２０に示す建物は、前面側に配置された隅部補強金具８に補強ステー３の下端を連結するので、前面側に配置される隅部補強金具８にのみ固定リブ８２を設けている。固定リブ８２は、屋根連結金具５の固定リブ５２に固定される補強ステー３をスムーズに連結できるように、図２０に示すように、互いに対向して配置される固定リブ８２と固定リブ５２の向きを等しくしている。固定リブ８２は、土台連結部８３のコーナー部の外側に連結されて、側壁８６の表面から外側に突出する姿勢で固定されている。図２０に示す隅部補強金具８は、屋根１のコーナー方向に補強ステー３を連結できるように、コーナー方向に突出する固定リブ８２を設けている。この構造の隅部補強金具８は、突出する固定リブ８２に連結される補強ステー３を、屋根１のコーナー部に連結される屋根連結金具５に連結して、屋根１のコーナー部を強固に補強できる。
【００８２】
以上の固定リブ８２も、ボルト４５を挿通する貫通孔を開口している。補強ステー３の下端部と固定リブ８２とを貫通するボルト４５にナット４６がねじ込まれて、補強ステー３が隅部補強金具８に連結される。
【００８３】
以上のように、基礎７に連結される土台１７を補強する隅部補強金具８に補強ステー３を連結する構造は、補強ステー３の下端をより強固に建物に連結して、屋根１のコーナー部を補強できる特徴がある。
【００８４】
さらに、建物は、屋根のコーナー部に加えて、大梁及び軒桁の先端も、補強ステーを介して隅柱または土台に連結することができる。すなわち、屋根の四隅の軒部において、コーナー部と、大梁の先端と、軒桁の先端の３箇所を補強ステーを介して隅柱または土台に連結することができる。この構造は、屋根の軒部の四隅を複数の補強ステーで強固に補強できるので、強風による軒部の損傷を確実に防止できる。ただ、建物は、屋根のコーナー部に加えて、大梁または軒桁のいずれかの先端を補強ステーで隅柱または土台に連結することもできる。
【産業上の利用可能性】
【００８５】
本発明の太陽電池パネルを備える建物は、片流れ屋根を有する建物において、建坪に対する屋根面積を著しく大きくして、太陽電池パネルの発電電力を理想的に大きくできる。
【符号の説明】
【００８６】
１…屋根                    １Ｘ…片流れ屋根
１Ａ…外周縁
１Ｂ…露出部
２…軒部
３…補強ステー
４…柱連結金具
５…屋根連結金具
６…十字状補強金具          ６Ａ…下側カバー金具
６Ｂ…上側カバー金具
７…基礎
８…隅部補強金具
９…太陽電池パネル
１０…建物本体              １０Ｘ…骨組み
１１…隅柱
１２…軒桁                  １２Ａ…嵌合溝
１２ａ…カット面
１３…大梁                  １３Ａ…嵌合溝
１４…コーナー材
１５…軒先梁
１６…破風板
１７…土台
１８…外壁                  １８Ｘ…外壁面
１９…軒先桁
２０…屋根材                ２０Ａ…化粧屋根材
２１…屋根プレート
２２…区画プレート
２３…垂木
２４…見上板
２５…空気層
２６…換気口
２７…固定金具
２８…通気部
２９…水切板
３０…建築領域
３４…固定フレーム
３５…空気層
４１…固定プレート
４２…固定リブ
４３…ボルト
４５…ボルト
４６…ナット
５１…溝形固定部            ５１ａ…支持プレート部
５１ｂ…支持プレート部
５１ｃ…保持プレート部
５２…固定リブ
６０…柱通過隙間
６１…柱連結部
６２…桁連結部              ６２Ａ…第１の桁連結部
６２Ｂ…第２の桁連結部
６３…梁連結部              ６３Ａ…第１の梁連結部
６３Ｂ…第２の梁連結部
６４…コーナー側連結部      ６４Ａ…第１のコーナー側連結部
６４Ｂ…第２のコーナー側連結部
６５…下側プレート部        ６５ｘ…下側プレート部
６５ｙ…下側プレート部
６５ｚ…下側プレート部
６６…下側対向壁            ６６ｘ…下側対向壁
６６ｙ…下側対向壁
６６ｚ…下側対向壁
６７…上側プレート部        ６７ｘ…上側プレート部
６７ｙ…上側プレート部
６７ｚ…上側プレート部
６８…上側対向壁            ６８ｘ…上側対向壁
６８ｙ…上側対向壁
６８ｚ…上側対向壁
６９…固定プレート
７０…ボルト
７１…ナット
７２…挿通孔
７７…止孔
７８…アンカーボルト
７９…ボルト
８０…柱通過隙間
８１…柱連結部
８２…固定リブ
８３…土台連結部
８４…筋かい連結部
８５…連結プレート
８６…側壁
８７…外側プレート
８８…対向プレート
８９…挿通孔
９０…太陽電池セル
９１…パネル本体
９２…ベースプレート
９３…外枠
９４…強化ガラス
９５…フィルム
９６…貫通穴
９７…配線
【図１】
2014098250.tif 000003
【図２】
2014098250.tif 000004
【図３】
2014098250.tif 000005
【図４】
2014098250.tif 000006
【図５】
2014098250.tif 000007
【図６】
2014098250.tif 000008
【図７】
2014098250.tif 000009
【図８】
2014098250.tif 000010
【図９】
2014098250.tif 000011
【図１０】
2014098250.tif 000012
【図１１】
2014098250.tif 000013
【図１２】
2014098250.tif 000014
【図１３】
2014098250.tif 000015
【図１４】
2014098250.tif 000016
【図１５】
2014098250.tif 000017
【図１６】
2014098250.tif 000018
【図１７】
2014098250.tif 000019
【図１８】
2014098250.tif 000020
【図１９】
2014098250.tif 000021
【図２０】
2014098250.tif 000022
【図２１】
2014098250.tif 000023
【図２２】
2014098250.tif 000024
【図２３】
2014098250.tif 000025